(57)【要約】【課題】基板の着脱が容易な配置構造とすること、その場合の取付け、取り外しの安全性を確保すること。【解決手段】実施形態に係る遊技機の第１の表示部１３０等に関する制御は、主制御基板を含む電子部品からなる各種制御回路によって行われており、この主制御基板等は、ボックス２に収容されていると共に、このボックス２は筐体の内部に引出し式に取付けられている。【選択図】        図３
2004344481.tif 000002
【特許請求の範囲】
【請求項１】
遊技を制御する主制御基板を含む電子部品が筐体に取付けられた遊技機において、
前記主制御基板を含む電子部品を収容するボックスが前記筐体に引き出し式に取付けられることを特徴とする遊技機。
【請求項２】
上方に開口する開口部を有し、その開口端位置にフランジ部を形成したボックスと、前記フランジ部をガイドするガイドレール部を有し、前記フランジ部又は前記ガイドレール部の何れか一方に係止部を、何れか他方に被係止部を設けたことを特徴とする請求項１に記載の遊技機。
【請求項３】
前記係止部は、前記フランジ部に形成された下向きラウンド状片からなり、前記被係止部は前記ラウンド状片が係止可能な孔であることを特徴とする請求項２に記載の遊技機。
【請求項４】
前記ガイドレール部には、前記フランジ部と前記ガイドレール部との間隔を規制するための規制部が形成されていることを特徴とする請求項２又は３に記載の遊技機。
【請求項５】
前記ガイドレール部は、前記筐体を区画する中板の裏面に取付けられていることを特徴とする請求項２乃至４の何れかに記載の遊技機。
【発明の詳細な説明】
【０００１】
【発明の属する技術分野】
本発明は、遊技機に関し、特に遊技を制御する主制御基板等の取付構成に特徴がある遊技機に関する。
【０００２】
【従来の技術】
スロットマシン等の遊技機においては、遊技者が一枚又は複数枚のメダルをその投入口に投入しスタートレバーをオンすることで、左右中の各リールが回転し、遊技が開始される。
そして遊技者が特定の図柄を狙って各リールの停止ボタンを操作し各リールを停止させた場合に、入賞ライン上に入賞の図柄が揃っている場合には、「当り」となる。
前記スタートレバーのオン、そのオンに基く当り図柄の抽選、前記各リールの各回転の開始、停止等は、主制御基板等によって制御されており、従来、この主制御基板等は、遊技機を構成する筐体にカバー等を介してネジ止めされていた（例えば、特許文献１参照）。
【０００３】
【特許文献１】
特開２００１−１７０２４９号公報（第２頁段落０００５、図２）
【０００４】
【発明が解決しようとする課題】
上記従来の遊技機において、前記スタートレバー、停止ボタン、各リール等に関し、それらの動作が不調の場合、前記主制御基板等もチェックする必要がある。
しかし、このようなチェックは、筐体から前記基板等を取外したり、カバーを取外して行う場合が多く、ネジ止め方式の場合には、煩雑な作業となっていた。
また、主制御基板等を構成する回路部品の保守点検、交換、修理等の場合も、ネジの取外し、取付けが必要となる場合があった。
【０００５】
そこで、本願発明は上記課題に鑑みなされたもので、主制御基板等の着脱が容易な遊技機を提供すること、その場合の取付け、取外しの安全性を確保することを目的とする。
【０００６】
【課題を解決するための手段】
上記課題を解決するため、遊技を制御する主制御基板を含む電子部品が筐体に取付けられた遊技機において、前記主制御基板を含む電子部品を収容するボックスが前記筐体に引き出し式に取付けられることを特徴とした（請求項１に記載の発明）。
従来例のネジ止め方式に対し、前記基板等の着脱、保守点検、修理、交換が容易となる。
【０００７】
上記発明において、上方に開口する開口部を有し、その開口端位置にフランジ部を形成したボックスと、前記フランジ部をガイドするガイドレール部を有し、前記フランジ部又は前記ガイドレール部の何れか一方に係止部を、何れか他方に被係止部を設けたことを特徴とした（請求項２に記載の発明）。
前記ガイドレール部から前記ボックスを引出す場合には、前記ボックスのフランジ部がガイドレール部を移動するが、前記フランジ部の係止部と前記ガイドレール部の被係止部が係止状態となるため、その状態でボックスを取外すための持ち手を離しても、ボックスを落下させることがない。また、持ち手をボックス自体に持ち替えてボックスを取外すことができる。
【０００８】
この発明において、前記係止部は、前記フランジ部に形成された下向きラウンド状片からなり、前記被係止部は前記ラウンド状片が係止可能な孔であることを特徴とした（請求項３に記載の発明）。
前記係止部は、下向きラウンド状片であることから、前記被係止部を構成する孔にスムースに係止可能となり、また、前記ボックスのフランジ部がレール部を移動する場合には、滑り易くなっている。
【０００９】
上記各発明において、前記ガイドレール部には、前記フランジ部と前記ガイドレール部との間隔を規制するための規制部が形成されていることを特徴とした（請求項４に記載の発明）。
この規制部が前記ボックスの取付け、取外しの際の押えとして機能する。
【００１０】
上記発明において、前記ガイドレール部は、前記筐体を区画する中板の裏面に取付けられていることを特徴とした（請求項５に記載の発明）。
ガイドレール部を中板裏面のどの部分にも取付けられる設計に応じた取付けが可能となり、中板の裏面を有効に活用することができる。
【００１１】
【発明の実施の形態】
上記発明の実施形態に係る遊技機を図面に基づいて説明する。
図１は遊技機の正面図、図２は同側面図、図３は遊技機の筐体内部の正面図、図４は主制御基板を含む電子部品を収容するボックス及びガイドレール部の分解斜視図である。
なお、これらの各図、後述の各図において、同一の構成については、同一の符号を付して、重複した説明を省略する。
【００１２】
実施形態に係る遊技機１は、主キャビネット１０及び副キャビネット１１からなる筐体１２と、前記主キャビネット１０のメインドア１３を備えている。
そのメインドア１３の正面には、例えば回転リールによる遊技が行われる第１の表示部１３０、紙幣挿入口１３１、前記第１の表示部１３０で行われる遊技に使用される各種ボタンを配列したコントロールパネル１３２、コイントレイ１３３が配置されている。
また前記副キャビネット１１のドア１１０には、前記第１の表示部１３０で行われる遊技のルール等が表示される第２の表示部１１１が配置されている。
そして、前記第１の表示部１３０等に対する制御は、主制御基板を含む電子部品からなる各種制御回路によって行われている。
この主制御基板を含む電子部品（以下、基板）は、図３に示したように前記筐体１２の内部に収容されており、以下、基板（図示せず）を収容する場合の構成例につき、詳細に説明する。
【００１３】
前記基板は、ボックス２に収容されていると共に、このボックス２は筐体１２に対して引出し式に取付けられている。
詳細には、図３及び図４に示したように、前記ボックス２は、前記第１の表示部１３０を構成するメインリール１３０Ａを載せるため、筐体１２を区画する中板（ミドルボード）１２Ａの裏面に固定されるガイドレール部３を介して、取付けられている。
なお、図３中、符号「４」は紙幣識別機、符号「５」は電源ボックスを示し、図４中、符号「６」は前記ミドルボード１２Ａを筐体１２に取付けるためのステイを示す。
【００１４】
前記ボックス２は、図４に示したように略長方体状に形成され、その内部に基板を収容するもので、上方には開口部２０が設けられている。この開口部２０の開口端に位置する２辺２１，２１には、外側に張り出したフランジ部２２，２２が形成されている。
これら一対のフランジ部２２，２２はそれぞれ略同一構成であるので、一方のフランジ部２２を他方のフランジ部２２に代表させて説明する。
【００１５】
前記フランジ部２２には、前記ガイドレール部３の被係止部（詳細は後述）と係係止する係止部として、２箇所に第１のラウンド状片２２０と第２のラウンド状片２２１（以下、それぞれ単にラウンド状片という）が設けられている。
これらのラウンド状片２２０，２２１は、フランジ部２２に所定形状の切込みを入れて、その切込み部分を下方向に折曲げ加工したもので、下向きのラウンド状に形成されている。
なお、前記ボックス２の正面２３には、図５に示したように、前記基板と前記メインリール１３０Ａ等との接続用の各種コネクタ、拡張スロットル等が取付けられている。
【００１６】
前記ガイドレール部３は、図４に示したように、一対のレール３０，３０からなり、それぞれ略同一に構成されているので、一方のレール３０を他方のレール３０に代表させて説明する。
このレール３０は、前記ボックス２のフランジ部２２を支持すると共に、前記ボックス２の取付け、又は取外しの際のガイドとなるもので、レール３０の長さ及び幅寸法は、前記フランジ部２２と略同一である。
また前記レール３０は、その横断面が略横開きコ字状に加工され、その横開き空間３００を前記フランジ部２２が移動できるようになっている。
【００１７】
前記レール３０の上面３１には前記ミドルボード１２Ａの裏面に対する取付片３１０が形成されている。また、ガイドレール部３に形成される規制部として、前記取付片３１０と前記上面３１の両端部間が切欠かれて略Ｖ字状の第１の折曲片３１１、第２の折曲片３１２（以下、それぞれ単に折曲片という）が形成されている。
前記レール３０の下面３２には、前記ラウンド状片２２０，２２１に対応する被係止部として、前記ラウンド状片２２０，２２１を係止可能な第１の孔３２０，第２の孔３２１（以下、それぞれ単に孔という）が形成されている。
これらの孔３２０，３２１は前記折曲片３１１，３１２の頂部３１１Ａ，３１２Ａに対して、それぞれ前方に設けられている（後述の図６（Ａ）参照）。
また、各孔３２０，３２１は、前記ラウンド状片２２０，２２１に対し、遊びが形成できるように、大きめに形成されている。
前記折曲片３１１，３１２の頂部３１１Ａ，３１２Ａと前記下面３２との間には間隔ｄ（後述の図６（Ａ）参照）が形成できるようにされている。その間隔ｄは前記ラウンド状片２２０，２２１が前記孔３２０，３２１から脱した状態（後述の図６（Ｂ）参照）において、前記フランジ部２２の上面と前記折曲片３１１，３１２の頂部３１１Ａ，３１２Ａが接する程度に設定されている。
なお、前記ボックス２の取付け、又は取外しの際に、前記ボックス２を移動をスムースにするため、後述の図６（Ｂ）の状態において、前記フランジ部２２の上面と前記折曲片３１１Ａ，３１２Ａの頂部との間に数ミリメートルの遊びを形成することが好ましい。
また、前記レール３０の下面３２の両端部には、ガイド片３２２，３２３が形成され、前記ボックス２を前記ガイドレール部３に挿入し易くしている。
【００１８】
以上のように構成された前記ボックス２は、前記ガイドレール部３によって引き出し式に構成されており、また前記開口部２０を覆うカバーも必要とされないことから、基板の保守点検、修理、回路部品の交換等が容易である。
また、前記ボックス２及びガイドレール部３は、ミドルボード１２Ａの裏面に配置されていることから、ガイドレール部３をミドルボード１２Ａの裏面のどの部分にも取付けられる設計に応じた取付けが可能となり、そのミドルボード１２Ａの裏面側空間を有効に活用できる。
また、基板の制御対象であるメインリール１３０Ａ等の近傍に配置することができるため、配線（ハーネス）等を短くすることで、配線用のスペースも省略でき、保守点検の際の煩雑さも軽減させることができる。
なお、前記ガイドレール部３の各レール３０の各構成３１１，３１２等は、線対称に成形されているので、各レール３０をミドルボード１２Ａ裏面に固定する場合には、それらの前後にとらわれることはない。
【００１９】
さらに、前記ボックス２及びガイドレール部３を備えた遊技機１の作用効果を図６（Ａ）〜（Ｃ）に基いて説明する。
図６（Ａ）〜（Ｃ）は、前記ボックス２のフランジ部２２と前記レール３０を、図中Ｓをボックス２の正面にしてその左右側面の片面を示したもので、図６（Ａ）は、前記ボックス２を前記レール３０にセットした状態の側面図、同図（Ｂ）は、前記ボックス２を前記レール３０から取外す状態（前記ボックス２を前記レール３０に取付ける状態）を示した側面図、同図（Ｃ）は、前記ボックス２を前記レール３０から完全に取外す直前の状態（前記ボックス２を前記レール３０に取付けた直後の状態）を示した側面図である。
【００２０】
図６（Ａ）に示したように、前記ボックス２のフランジ部２２のラウンド状片２２０，２２１は、前記レール３０の孔３２０，３２１に嵌り込んでおり、また前記フランジ部２２は前記レール３０の下面３２に支えられている。
よって、例えば筐体１２を運搬、移動する際に、前記ボックス２の前記ガイドレール部３からの飛出しを防ぐことができ、その飛び出しによる配線の断線事故等も防ぐことができ、前記ボックス２を安定的に筐体１２の内部にセットすることができる。
なお、前記フランジ部２２のラウンド状片２２０，２２１によって、前記ボックス２を前記レール３０にセットする際に、前記レール３０の孔３２０，３２１に嵌め込み易くなっている。
【００２１】
図６（Ｂ）に示したように、前記ボックス２を前記ガイドレール部３から引き出す際には、前記フランジ部２２のラウンド状片２２０，２２１によって、前記レール３０の孔３２０，３２１から引出し易くなっている。
また、前記ボックス２のラウンド状片２２０，２２１が、前記レール３０の下面３２上を滑動することになるが、前記レール下面３２に接する面積を最小限におさえることで、滑り易くなっている。
また、前記ラウンド状片２２０，２２１は、２箇所に設けられているので、前記ボックス２の取外し時に、ボックス自体のバランス性に優れている。
さらに、前記ボックス２のフランジ部２２は、前記レール３０の折曲片３１１，３１２の頂部３１１Ａ，３１２Ａと接する場合には、取外し時のボックス２の上下方向のガタが抑えられ、スムースに取外すことができる。
よって、規制部としての折曲片３１１，３１２が前記ボックス２の取外しの際の押えとして機能する。
以上のような作用効果は、前記ボックス２を前記ガイドレール部３に取付ける際にも同様に奏されるものである。
【００２２】
図６（Ｃ）に示したように、前記ボックス２を前記ガイドレール部３から取外す直前の際には、前記フランジ部２２のラウンド状片２２１とレール３０の孔３２０が係止され、この状態で手を離してもボックス２を落下させることがない。
そして、前記孔３２０は前記折曲片３１１の頂部３１１Ａに対して、前方に設けられているので、前記レール３０の折曲片３１１が、ボックス２の傾きを押えるように作用し、上記係止状態をより確実なものにしている。
よって、前記ボックス２の不意の落下を防止しつつ、ボックス２の取っ手（図示せず）からボックス２に持ち手を変えて、安全確実に取外すことができる。
以上のような段階的な取外しの作用効果は、前記ボックス２を前記ガイドレール部３に取付ける際にも同様に奏されるものである。
【００２３】
上記実施形態において前記係止部は、それぞれ２箇所に設けられているが、ボックス２の取付けに関しては１箇所のみでよく、例えばラウンド状片２２１のみでもよい。また前記係止部は、２個所以上でもよい。
また前記ラウンド状片２２０等は、フランジ部２２の切込み部分を折曲げ加工したものであるが、このような構成に限定されるものではなく、例えばラウンド状片を接着、溶着させてもよい。
また、係止部の形状は、ラウンド状に限定されるものでもなく、例えば多角形状でもよい。
なお、前記折曲片３１１，３１２は、前記上面３１の略両端部にそれぞれ設けられているが、その位置、その個数は、実施形態のように２箇所に限定されるものでもない。また、その形状も略Ｖ字状に限定されるものでもなく、Ｕ字状でもよい。
また、これらの折曲片３１１，３１２をバネ状の弾性を有するものに構成しても良い。この場合には、前記折曲片３１１，３１２の頂部３１１Ａ，３１２Ａが前記フランジ部２２の上面を押し付けることが可能で、前記ボックス２をより安定的に筐体１２の内部にセットすることができる。
【００２４】
前記実施形態の遊技機１は、遊技を制御する基板が筐体に取付けられた構造であれば、その遊技機の種類はどのようなものでもよく、パチスロ機等に限定されるものではない。
【００２５】
【発明の効果】
本願発明によれば、基板等の着脱、保守点検、修理、交換が容易となる遊技機を提供することができる。
【図面の簡単な説明】
【図１】実施形態に係る遊技機の正面図、
【図２】同側面図、
【図３】実施形態に係る遊技機の筐体内部の正面図、
【図４】同筐体に取付けられた基板を収容したボックス等の斜視図、
【図５】同ボックスの正面図、
【図６】（Ａ）〜（Ｃ）  同ボックスの作用説明図である。
【符号の説明】
１  遊技機                          １０  主キャビネット
１１  副キャビネット                １１０  ドア
１１１  第２の表示部
１２  筐体                          １２Ａ  中板（ミドルボード）
１３  メインドア                    １３０  第１の表示部
１３０Ａ  メインリール
１３１  紙幣挿入口                  １３２  コントロールパネル
１３３  コイントレイ
２  ボックス                        ２０  開口部
２１，２１  辺                      ２２，２２  フランジ部
２２０，２２１  係止部
２３  正面
３  ガイドレール部                  ３０，３０  一対のレール
３１  上面                          ３２  下面
３００  横開き領域                  ３１０  取付片
３１１，３１２  折曲片              ３２０，３２１  孔
３２２，３２３  ガイド片
４  紙幣識別機、
５  電源ボックス
６  ステイ
【図１】
2004344481.tif 000003
【図２】
2004344481.tif 000004
【図３】
2004344481.tif 000005
【図４】
2004344481.tif 000006
【図５】
2004344481.tif 000007
【図６】
2004344481.tif 000008